(57)【要約】【課題】  簡易な構成でありながら、施術者がテンポラリークラウンを取り外すために要する力を軽減することのできる歯科用プライヤを提供することを目的とする。【解決手段】  この歯科用プライヤは、第１アーム１０と、第２アーム２０と、第１アーム１０と第２アーム２０とを相対的に回転可能に連結する連結部材３０とを備える。第１アーム１０の後端部には柄部１１が、先端部にはテンポラリークラウンＴＣの一端と係合するための係合部１２が形成され、第２アーム２０の後端部には柄部２１が、先端部２２には支持部材４０が配設される。支持部材４０は、第２アーム２０の先端部２２に回転可能に配設された支軸４１と、この支軸４１と交差する方向に延びるアーム４２とを有する。この支持部材４０における支軸４１とは逆側の端部４３には、当接部材４４が配設される。【選択図】        図１
2005152173.tif 000002
【特許請求の範囲】
【請求項１】
支台歯に一時的に装着されたテンポラリークラウンを取り外すための歯科用プライヤにおいて、
その後端部に柄部が形成された第１、第２のアームと、
前記第１のアームと前記第２のアームとを相対的に回転可能に連結する連結部材と、
前記第１のアームの先端部に形成されたテンポラリークラウンの一端と係合するための係合部と、
前記第２のアームの先端部に形成され、前記テンポラリークラウンが装着された支台歯と隣接する歯に当接可能な当接部材を支持する支持部材と、
を備えたことを特徴とする歯科用プライヤ。
【請求項２】
支台歯に一時的に装着されたテンポラリークラウンを取り外すための歯科用プライヤにおいて、
その後端部に柄部が形成された第１、第２のアームと、
前記第１のアームと前記第２のアームとを相対的に回転可能に連結する連結部材と、
前記第１のアームの先端部に形成されたテンポラリークラウンの一端と係合するための係合部と、
前記第２のアームの先端部に回転可能に配設された支軸と、この支軸と交差する方向に延びるアームとを有する支持部材と、
前記支持部材における支軸とは逆側の端部に配設され、前記テンポラリークラウンが装着された支台歯と隣接する歯に当接可能な当接部材と、
を備えたことを特徴とする歯科用プライヤ。
【請求項３】
請求項２に記載のプライヤにおいて、
前記支軸の回転を規制することにより、前記アームを所定の回転角度位置で停止させる停止機構を備えた歯科用プライヤ。
【請求項４】
請求項３に記載のプライヤにおいて、
前記停止機構は、前記支軸と同心円上に設けられた多数の爪と、前記爪と係合するための係止部材と、前記係止部材を爪方向に付勢する弾性部材とから構成される歯科用プライヤ。
【発明の詳細な説明】
【技術分野】
【０００１】
この発明は、支台歯に一時的に装着されたテンポラリークラウンを取り外すための歯科用プライヤに関する。
【背景技術】
【０００２】
従来、支台歯に一時的に装着されたテンポラリークラウンを取り外すときには、クラウンリムーバーと称呼される機材が使用される。図７は、クラウンリムーバーの一例を示す側面図である。
【０００３】
図７に示すクラウンリムーバーは、取り外す対象となるテンポラリークラウンの一端に係合するための係合部（ポイント）４１０を有するポイント部材４００と、ポイント部材４００に連結されポイント部材４００に対して衝撃を伝達するためのハンドル部材５００とを備える。ハンドル部材５００は、円柱状であって、その両端部にそれぞれ第１係止部５１１と第２係止部５１２とが形成される棒部材５１０と、その中心に形成された孔部に前記棒部材５１０が挿通され、棒部材５１０における第１係止部５１１と第２係止部５１２との間を移動自在な錘５２０とを備える。
【０００４】
このようなクラウンリムーバーを使用するときには、係合部４１０をテンポラリークラウンの下端部と係合させた状態で錘５２０を第２係止部５１２へ衝突させる。この衝突時には、錘の慣性力によりハンドル部材５００を錘５２０の移動方向に移動させようとする力が生じ、この力が、ポイント部材４００を介してテンポラリークラウンに伝達される。これによりテンポラリークラウンと支台歯との間の接合を緩和させることができる。この動作を複数回繰り返すことにより、テンポラリークラウンを支台歯から取り外すことができる。
【０００５】
しかしながら、このような従来のクラウンリムーバーを使用する場合には、テンポラリークラウンに対して繰り返して衝撃を与えることによりテンポラリークラウンを支台歯から取り外す構成であることから、患者にとっての負担も大きなものとなっていた。
【０００６】
また、上記のクラウンリムーバーの他に、歯科用プライヤを使用することにより、テンポラリークラウンを狭持して引き抜くことも考えられる。図８は、歯科用プライヤを使用してテンポラリークラウンを引き抜く動作を示す説明図である。
【０００７】
図８に示す従来の歯科用プライヤは、その後端部に柄部１１０、２１０が形成された第１、第２のアーム１００、２００と、第１のアーム１００と第２のアーム２００とを相対的に回転可能に連結する連結部材３００と、第１のアーム１００の先端部に形成されたテンポラリークラウンＴＣの一端と係合するための係合部１２０と、第２のアーム２００の先端部に形成されたテンポラリークラウンＴＣの他端と係合するための係合部２２０とを備える。
【０００８】
このような従来の歯科用プライヤを使用して、テンポラリークラウンＴＣを取り外すときには、まず、取り外す対象となるテンポラリークラウンＴＣを係合部１２０と係合部２２０との間で狭持する。そして、柄部１１０および柄部２１０を互いに近接する方向へ向けて押圧することにより、当該テンポラリークラウンＴＣを堅持する。この状態で、テンポラリークラウンＴＣを堅持した歯科用プライヤに対してテンポラリークラウンＴＣを装着した支台歯と反対の方向に向けた力を付与し、テンポラリークラウンＴＣを取り外す。
【０００９】
このような歯科用プライヤによりテンポラリークラウンＴＣを取り外すためには、テンポラリークラウンＴＣを係合部１２０、２２０により狭持する方向への力と、係合部１２０、２２０により堅持されたテンポラリークラウンＴＣを当該歯科用プライヤとともにテンポラリークラウンＴＣを装着した支台歯と反対の方向へ引き抜くための力とを必要とする。このため、このような歯科用プライヤを使用してテンポラリークラウンＴＣを取り外す場合には、施術者に高度な技術を要し、また患者に対して苦痛を与える可能性があった。
【００１０】
そこで、特許文献１には、このような施術者の多大な負担を軽減させるため、動力補助機構を備えた装置が開示されている。
【００１１】
特許文献１に開示される装置は、ハンドピース本体と、ハンドピース本体に内蔵された空気力式アクチュエータと、ハンドピース本体に開閉可能に装着されアクチュエータにより開閉駆動される一対の顎部材とを備える。
【００１２】
空気力式アクチュエータは、ハンドピース本体に形成されたシリンダボアを有する。シリンダボアは、その内部に摺動可能に嵌合された複動型ピストンにより第１作用室と第２作用室とに分けられている。これらの作用室は切替弁により圧縮空気を供給するための動力源に択一的に接続される。この切替弁により圧縮空気が第１作用室と第２作用室とに切り替えられて導入することにより複動型ピストンを駆動させ、この複動型ピストンの駆動に伴い一対の顎部材が開閉する。このような圧縮空気の作用により顎部材は固く閉じられることができるので、施術者は対象物を狭持するための多大な力を必要とされない。
【特許文献１】特開２００１−１９８１４２号公報
【発明の開示】
【発明が解決しようとする課題】
【００１３】
しかしながら、特許文献１に開示される装置は、先に説明したとおり、空気アクチュエータ等の複雑な機構を必要とする。このため、その製作が困難であり、高コストを必要とする。
【００１４】
この発明は、これらの問題を解決するためになされたものであり、簡易な構成でありながら、施術者がテンポラリークラウンを容易に取り外すことができる歯科用プライヤを提供することを目的とする。
【課題を解決するための手段】
【００１５】
請求項１に記載の発明は、支台歯に一時的に装着されたテンポラリークラウンを取り外すための歯科用プライヤにおいて、その後端部に柄部が形成された第１、第２のアームと、前記第１のアームと前記第２のアームとを相対的に回転可能に連結する連結部材と、前記第１のアームの先端部に形成されたテンポラリークラウンの一端と係合するための係合部と、前記第２のアームの先端部に形成され、前記テンポラリークラウンが装着された支台歯と隣接する歯に当接可能な当接部材を支持する支持部材とを備えたことを特徴とする。
【００１６】
請求項２に記載の発明は、支台歯に一時的に装着されたテンポラリークラウンを取り外すための歯科用プライヤにおいて、その後端部に柄部が形成された第１、第２のアームと、前記第１のアームと前記第２のアームとを相対的に回転可能に連結する連結部材と、前記第１のアームの先端部に形成されたテンポラリークラウンの一端と係合するための係合部と、前記第２のアームの先端部に回転可能に配設された支軸と、この支軸と交差する方向に延びるアームとを有する支持部材と、前記支持部材における支軸とは逆側の端部に配設され、前記テンポラリークラウンが装着された支台歯と隣接する歯に当接可能な当接部材とを備えたことを特徴とする。
【００１７】
請求項３に記載の発明は、請求項２に記載のプライヤにおいて、前記支軸の回転を規制することにより、前記アームを所定の回転角度位置で停止させる停止機構を備える。
【００１８】
請求項４に記載の発明は、請求項３に記載のプライヤにおいて、前記停止機構は、前記支軸と同心円上に設けられた多数の爪と、前記爪と係合するための係止部材と、前記係止部材を爪方向に付勢する弾性部材とから構成される。
【発明の効果】
【００１９】
請求項１に記載の発明によれば、第２のアームの先端部に形成され、テンポラリークラウンが装着された支台歯と隣接する歯に当接可能な当接部材を支持する支持部材とを備えることから、テンポラリークラウンが装着された支台歯に隣接する歯と当接部材との当接点を支点としてテンポラリークラウンを取り外すことができる。これにより、簡易な構成でありながら、施術者がテンポラリークラウンを容易に取り外すことができる。
【００２０】
請求項２に記載の発明によれば、テンポラリークラウンが装着された支台歯に隣接する歯と当接部材との当接点を支点としてテンポラリークラウンを取り外すことができ、簡易な構成でありながら、施術者がテンポラリークラウンを容易に取り外すことができる。また、第２のアームの先端部に回転可能に配設された支軸と、この支軸と交差する方向に延びるアームとを有する支持部材と、支持部材における支軸とは逆側の端部に配設され、テンポラリークラウンが装着された支台歯と隣接する歯に当接可能な当接部材とを備えたことから、第１のアームの先端部に形成された係合部と当接部材との間の距離又は角度をテンポラリークラウンが装着された支台歯と当該支台歯に隣接する歯との間の距離又は角度に合わせて変更することができる。
【００２１】
請求項３に記載の発明によれば、支軸の回転を規制することにより、アームを所定の回転角度位置で停止させる停止機構を備えることから、第１のアームの先端部に形成された係合部と当接部材との間の距離および角度を固定させた状態で、テンポラリークラウンが装着された支台歯に隣接する歯と当接部材との当接点を支点としてテンポラリークラウンを取り外すことができる。
【００２２】
請求項４に記載の発明によれば、停止機構は、支軸と同心円上に設けられた多数の爪と、爪と係合するための係止部材と、係止部材を爪方向に付勢する弾性部材とから構成されることから、簡易な構成でありながら、アームを所定の回転角度位置で停止させることができる。
【発明を実施するための最良の形態】
【００２３】
以下、この発明の実施の形態を図面に基づいて説明する。
【００２４】
なお、この明細書中において、支台歯とは、フルキャストクラウンおよびテンポラリークラウンの支台となるべく形成された歯のことをいう。また、テンポラリークラウンとは、フルキャストクラウンが入るまでの間使用する仮のクラウンのことをいい、支台歯に仮止め用のセメントによって固着される。
【００２５】
図１はこの発明に係る歯科用プライヤの側面図であり、図２は第２アーム２０の先端部２２周辺を示す説明図である。
【００２６】
この歯科用プライヤは、支台歯に一時的に装着されたテンポラリークラウンＴＣ（図５、図６参照）を取り外すことを目的とするものであり、第１アーム１０と、第２アーム２０と、第１アーム１０と第２アーム２０とを相対的に回転可能に連結する連結部材３０とを備える。
【００２７】
第１アーム１０の後端部には柄部１１が、また、その先端部にはテンポラリークラウンＴＣの一端と係合するための係合部１２が形成される。また、第２アーム２０の後端部には柄部２１が、また、その先端部２２には支持部材４０が配設される。
【００２８】
支持部材４０は、第２アーム２０の先端部２２に回転可能に配設された支軸４１と、この支軸４１と交差する方向に延びるアーム４２とを有する。この支持部材４０における支軸４１とは逆側の端部４３には、テンポラリークラウンＴＣが装着された支台歯と隣接する歯Ｔ（図５、図６参照）に当接可能な当接部材４４が配設される。また、柄部１１と柄部２１とは、バネ部材５０により接続され、互いに離隔する方向へ付勢されている。
【００２９】
図３は、この発明の第１実施形態に係る第２アーム２０の先端部２２内部の様子を示す断面図である。
【００３０】
支持部材４０は、後程詳細に説明する停止機構で支軸４１の回転を規制されることにより、第２アーム２０に対して、４５度毎の角度の位置で停止することができる。
【００３１】
この停止機構は、支軸４１と同心円上に設けられた多数の爪６０ａを有する爪部材６０と、爪部材６０と係合するための係止部材６１と、係止部材６１を爪部材６０の方向に付勢する弾性部材６２とから構成される。
【００３２】
爪部材６０は中央に設けられた孔部６０ｂに支軸４１が挿嵌されることにより、支軸４１と爪部材６０とは互いに固定される。係止部材６１は、爪部材６０に設けられた爪６０ａのうち隣り合う２つの爪６０ａの間に挿嵌されることにより支軸４１の回転を停止させる。また、係止部材６１は、弾性部材６２により爪６０方向へ付勢される。このため、支軸４１の回転は規制される。
【００３３】
支持部材４０を回転させる場合には、その間に係止部材６１の挿入される２つの爪６０の一方を、弾性部材６２により係止部材６１が爪６０方向に付勢される付勢力よりも大きな力で支持部材４０の回転方向に係止部材６１を押圧する。これにより、支軸４１の回転の停止状態が解除され、支持部材４０が回転する。そして、係止部材６１は、次の隣り合う２つの爪６０ａの間に挿嵌され、支軸４１の回転が再び停止される。このような停止機構の構成により、簡易な構成でありながら、アーム４２を所定の回転角度位置で停止させることができる。
【００３４】
また、図４は、この発明の第２実施形態に係る第２アーム２０の先端部２２内部の様子を示す断面図である。
【００３５】
第１実施形態における停止機構は、支軸４１と同心円上に設けられた多数の爪６０ａを有する爪部材６０と、爪部材６０と係合するための係止部材６１と、係止部材６１を爪部材６０の方向に付勢する弾性部材６２とから構成されていたが、第２実施形態における停止機構は、支軸４１と同心の外周面６３ａが形成された筒部材６３と、筒部材６３の外周面６３ａと当接するように配置される摩擦部材６４と、摩擦部材６４を筒部材６３の方向に付勢する弾性部材６５とから構成される。
【００３６】
筒部材６３は中央に設けられた孔部６３ｂに支軸４１が挿嵌されることにより、支軸４１と筒材６３とは互いに固定される。摩擦部材６４および筒部材６３の外周面６３ａは、互いに接触して相対運動をしようとするとき、または運動しているとき、その接触面で運動を阻止しようとする力（摩擦力）が生じるような材料からなる。また、摩擦部材６４は筒部材６３の方向に付勢される。このため、摩擦部材６４と筒部材６３の外周面６３ａとの間にはある一定以上の摩擦力が働き支軸４１の回転が規制される。
【００３７】
支持部材４０を回転させる場合には、筒部材６３と摩擦部材６４との間に生じる摩擦力よりも大きな力で支持部材４０の回転方向に筒部材６３を回転させる。これにより、支軸４１の回転の停止状態が解除され、支持部材４０が回転する。そして、筒部材６３に対する力が筒部材６３と摩擦部材６４との間に生じる摩擦力よりも小さくなったときには、筒部材６３の回転が停止し、支軸４１の回転が再び停止される。このような停止機構の構成により、簡易な構成でありながら、アーム４２を任意の回転角度位置で停止させることができる。
【００３８】
図５および図６は、この発明に係る歯科用プライヤの使用時の様子を示す説明図である。
【００３９】
図５は、この発明に係る歯科用プライヤにより施術者からみて患者の正中より右側にあるテンポラリークラウンＴＣを取り外すときの様子を示している。
【００４０】
図５に示すように、この発明に係る歯科用プライヤを使用して、施術者からみて患者の正中より右側にあるテンポラリークラウンＴＣを取り外す際には、取り外すテンポラリークラウンＴＣが装着された支台歯の右隣側にある歯Ｔの上に当接部材４４を当接させる。そして、第１アーム１０の先端部に形成された係合部１２をテンポラリークラウンＴＣの一端に係合させる。このとき、支軸４１を回転させることにより、係合部１２と当接部材４４との間の距離又は角度をテンポラリークラウンＴＣとテンポラリークラウンＴＣが装着された支台歯の右隣側にある歯Ｔとの間の距離又は角度に合わせて変更する。すなわち、係合部１２がテンポラリークラウンＴＣの一端の適切な位置で当該テンポラリークラウンＴＣと係合するように調節する。
【００４１】
これらの作業が終了した後、第１アーム１０の柄部１１および第２アームの柄部２１に対して、互いに近接させる方向に力を加える。これにより、歯Ｔと当接部材４４との当接点を支点としてテンポラリークラウンＴＣを取り外すことができる。このため、簡易な構成でありながら、施術者がテンポラリークラウンＴＣを取り外すために要する力を軽減することができる。
【００４２】
また、図６は、この発明に係る歯科用プライヤを使用して、施術者からみて患者の正中より左側にあるテンポラリークラウンＴＣを取り外すときの様子を示している。
【００４３】
図６に示すように、この発明に係る歯科用プライヤを使用して、施術者からみて患者の正中より左側にあるテンポラリークラウンＴＣを取り外す際には、取り外すテンポラリークラウンＴＣが装着された支台歯の左隣側にある歯Ｔの上に当接部材４４を当接させる。そして、第１アーム１０の先端部に形成された係合部１２をテンポラリークラウンＴＣの一端に係合させる。このとき、上述したテンポラリークラウンＴＣが施術者からみて患者の正中より右側にある場合と同様に、支軸４１を回転させることにより、係合部１２と当接部材４４との間の距離又は角度をテンポラリークラウンＴＣとテンポラリークラウンＴＣが装着された支台歯の左隣側にある歯Ｔとの間の距離又は角度に合わせて変更する。すなわち、係合部１２がテンポラリークラウンＴＣの一端の適切な位置で当該テンポラリークラウンＴＣと係合するように調節する。
【００４４】
このような調節により、テンポラリークラウンＴＣが装着された支台歯と、当該支台歯と隣接する歯との間の角度に因ることなく、またテンポラリークラウンＴＣが装着された支台歯、テンポラリークラウンＴＣ自体、および、テンポラリークラウンＴＣが装着された支台歯と隣接する歯Ｔの大きさや位置に因ることなく、施術者がテンポラリークラウンＴＣを容易に取り外すことができる。
【００４５】
これらの作業が終了した後、第１アーム１０の柄部１１および第２アーム２０の柄部２１に対して、互いに近接する方向に力を加える。これにより、歯Ｔと当接部材４４との当接点を支点としてテンポラリークラウンＴＣを取り外すことができる。このため、簡易な構成でありながら、施術者がテンポラリークラウンＴＣを容易に取り外すことができる。
【００４６】
なお、先に説明した実施形態においてはいずれも、支持部材４０は、第２アーム２０に対して回転可能に配設されているが、支持部材４０が第２アーム２０に対して固定される構成を採用してもよい。この場合、支持部材４０を第２アーム２０に対して、左右にそれぞれの方向に所定の角度毎に角度が異るように固定させた複数の歯科用プライヤを準備しておくことにより、テンポラリークラウンＴＣが装着された支台歯と、当該支台歯と隣接する歯との間の角度、またテンポラリークラウンＴＣが装着された支台歯、テンポラリークラウンＴＣ自体、および、テンポラリークラウンＴＣが装着された支台歯と隣接する歯Ｔの大きさや位置に対応することができる。
【図面の簡単な説明】
【００４７】
【図１】この発明に係る歯科用プライヤの側面図である。
【図２】第２アーム２０の先端部２２周辺を示す説明図である。
【図３】この発明の第１実施形態に係る第２アーム２０の先端部２２内部の様子を示す断面図である。
【図４】この発明の他の実施形態に係る第２アーム２０の先端部２２内部の様子を示す説明図である。
【図５】この発明に係る歯科用プライヤの使用時の様子を示す説明図である。
【図６】この発明に係る歯科用プライヤの使用時の様子を示す説明図である。
【図７】従来のクラウンリムーバーの一例を示す側面図である。
【図８】歯科用プライヤを使用してテンポラリークラウンを引き抜く動作を示す説明図である。
【符号の説明】
【００４８】
１０      第１アーム
１１      柄部
１２      係合部
２０      第２アーム
２１      柄部
２２      先端部
３０      連結部材
４０      支持部材
４１      支軸
４２      アーム
４３      端部
４４      当接部材
５０      バネ部材
６０      爪部材
６０ａ    爪
６０ｂ    孔部
６１      係合部材
６２      弾性部材
６３      筒部材
６３ａ    外周面
６３ｂ    孔部
６４      摩擦部材
６５      弾性部材
１００    第１アーム
１１０    柄部
１２０    係合部
２００    第２アーム
２１０    柄部
２２０    係合部
３００    連結部材
４００    ポイント部材
４１０    係合部
５００    ハンドル部材
５１０    棒部材
５１１    第１係止部
５１２    第２係止部
５２０    錘
ＴＣ      テンポラリークラウン
Ｔ        歯
【図１】
2005152173.tif 000003
【図２】
2005152173.tif 000004
【図３】
2005152173.tif 000005
【図４】
2005152173.tif 000006
【図５】
2005152173.tif 000007
【図６】
2005152173.tif 000008
【図７】
2005152173.tif 000009
【図８】
2005152173.tif 000010